(57)【要約】【課題】ユーザに負担をかけることなく、絵画風画像に違和感の少ない署名等を付加する。【解決手段】  原画像を絵画風画像に変換する際、事前に変換後の絵画風画像に与える特定の効果を表す画風（「水彩画風」、「油絵画風」等」）をユーザに選択させ、選択された画風に応じた画像処理によって原画像を絵画風画像に変換する。変換時にユーザに選択された画風が「日本画風」に分類される場合には、登録されている漢字表記の人名を行書体で表現したものを署名として絵画風画像に付加する。また、変換時にユーザに選択された画風が「西洋画風」に分類される場合には、登録されているローマ字表記の人名を筆記体で表現したものを署名として絵画風画像に付加する。【選択図】図８
2011138240.tif 000002
【特許請求の範囲】
【請求項１】
原画像を、特定の効果を与えた絵画風画像に変換する画像変換手段と、
前記画像変換手段が絵画風画像に与える特定の効果の種類を設定する設定手段と、
前記画像変換手段により変換された絵画風画像に文字情報として付加される任意の文字の表現形態を、前記設定手段により設定された特定の効果の種類に応じて決定する決定手段と、
前記決定手段により決定された表現形態で表現された任意の文字からなる文字情報を、前記画像変換手段により変換された絵画風画像に付加する付加手段と
を備えたことを特徴とする画像処理装置。
【請求項２】
前記決定手段により、前記設定手段により設定された特定の効果の種類に応じて決定される任意の文字の表現形態は文字の種類であることを特徴とする請求項１記載の画像処理装置。
【請求項３】
前記決定手段により、前記設定手段により設定された特定の効果の種類に応じて決定される任意の文字の表現形態は文字の字体であることを特徴とする請求項１又は２記載の画像処理装置。
【請求項４】
前記設定手段は、前記画像変換手段が絵画風画像に与える特定の効果の種類として、予め用意されている複数種のうちから使用者によって選択された種類を設定することを特徴とする請求項１又は２，３記載の画像処理装置。
【請求項５】
予め登録されている複数の人名を表す人名データが複数記憶された人名記憶手段と、
予め登録されている複数人物の顔を表す複数の顔データが、前記人名記憶手段に記憶されている複数の人名データにそれぞれ対応して記憶された顔記憶手段と、
前記原画像を対象として、前記顔記憶手段に記憶されている複数の顔データのいずれかによって表される特定の人物の顔を認識する顔認識手段と
を備え、
前記付加手段は、前記顔認識手段により前記複数の顔データのいずれかによって表される特定の人物の顔が認識されたことを条件として、人名記憶手段に記憶されている人名データであって、前記顔認識手段によって認識された顔を表す顔データが対応する人名データにより表される人名を、前記決定手段により決定された表現形態で表現された文字によって絵画風画像に付加する
ことを特徴とする請求項１乃至４いずれか記載の画像処理装置。
【請求項６】
コンピュータに、
原画像を、特定の効果を与えた絵画風画像に変換する手順と、
絵画風画像の変換に先立ち、変換後の絵画風画像に与える特定の効果の種類を設定する手順と、
変換後の絵画風画像に文字情報として付加される任意の文字の表現形態を、絵画風画像の変換に先立ち設定した特定の効果の種類に応じて決定する手順と、
決定された表現形態で表現された任意の文字からなる文字情報を、変換後の絵画風画像に付加する手順と
を実行させることを特徴とするプログラム。
【発明の詳細な説明】
【技術分野】
【０００１】
本発明は、写真撮影により得られた画像等から変換した絵画風画像に文字情報を付加する画像処理技術に関するものである。
【背景技術】
【０００２】
近年、例えばデジタルカメラにより撮影され画像データとして記録された画像、つまり写真を表示する装置として、種々のデジタルフォトフレームが商品化されている。ＤＰＦは、多数の写真を手軽に鑑賞することを目的として画像表示を行うものである。しかし、例えば表示対象の写真を、装置内または他の装置において画像処理技術により特定の効果を与えた絵画風の画像（以下、絵画風画像という。）に変換すれば、撮影された写真を新たな作品として鑑賞をすることができる。
【０００３】
ところで、実際の絵画作品には、作品内の下部等に作者名を表す署名（サイン、落款）が書き入れられているものが多い。そのため、絵画風に変換した後の絵画風画像に署名（作者名である必要はない）等の文字情報を付加すれば、絵画風画像を実際の絵画作品らしく見せることができる。
【０００４】
一方、例えば下記特許文献１には、画像に文字情報を付加する技術に関し、画像上に表示する文字の字体を使用者の操作に応じて変更する技術が記載されている。係る技術を用いれば、例えば絵画風画像に署名等の文字情報を付加して表示する際、署名等に使用する文字の字体として画像の雰囲気にあった字体をユーザに選択（設定）させることによって、絵画風画像に違和感の少ない署名等を付加することができる。
【先行技術文献】
【特許文献】
【０００５】
【特許文献１】特開平１１−１８７２９２号公報（段落「００５６」、図１２参照）
【発明の概要】
【発明が解決しようとする課題】
【０００６】
しかしながら、上記の技術を用いれば、絵画風画像に違和感の少ない署名等を付加することはできるが、上記の技術を用いた場合には、文字の字体を選択するといった煩雑な作業が不可欠であり、ユーザに負担がかかるという問題があった。
【０００７】
本発明は、かかる従来の課題に鑑みてなされたものであり、ユーザに負担をかけることなく、絵画風画像に違和感の少ない署名等を付加することを目的とする。
【課題を解決するための手段】
【０００８】
本発明の第１の観点に係る画像処理装置にあっては、原画像を、特定の効果を与えた絵画風画像に変換する画像変換手段と、前記画像変換手段が絵画風画像に与える特定の効果の種類を設定する設定手段と、前記画像変換手段により変換された絵画風画像に文字情報として付加される任意の文字の表現形態を、前記設定手段により設定された特定の効果の種類に応じて決定する決定手段と、前記決定手段により決定された表現形態で表現された任意の文字からなる文字情報を、前記画像変換手段により変換された絵画風画像に付加する付加手段とを備えたことを特徴とする。
【０００９】
本発明の第２の観点に係るプログラムにあっては、コンピュータに、原画像を、特定の効果を与えた絵画風画像に変換する手順と、絵画風画像の変換に先立ち、変換後の絵画風画像に与える特定の効果の種類を設定する手順と、変換後の絵画風画像に文字情報として付加される任意の文字の表現形態を、絵画風画像の変換に先立ち設定した特定の効果の種類に応じて決定する手順と、決定された表現形態で表現された任意の文字からなる文字情報を、変換後の絵画風画像に付加する手順とを実行させることを特徴とする。
【発明の効果】
【００１０】
本発明によれば、ユーザに負担をかけることなく、絵画風画像に違和感の少ない署名等を付加することができる。
【図面の簡単な説明】
【００１１】
【図１】本発明に係るデジタルフォトフレームの正面図である。
【図２】デジタルフォトフレームの電気的構成を示すブロック図である。
【図３】（ａ）は登録名ファイルの格納データを示す概念図、（ｂ）顔データファイルの格納データを示す概念図である。
【図４】エフェクトモードで選択可能なエフェクトの種類、及びエフェクトの種類に対応する人名を示す図である。
【図５】エフェクトモードにおけるＣＰＵの処理手順を示すフローチャートである。
【図６】署名データ決定処理の内容を示すフローチャートである。
【図７】名前入力画面を示す図である。
【図８】（ａ）はローマ字のサインが合成された絵画風画像の一例を示す図、（ｂ）は落款画像が合成された絵画風画像の一例を示す図である。
【図９】変形例における他の絵画風画像を示す図であって、（ａ）は人名の表記にゴシック体の文字を使用した署名が合成された絵画風画像の一例を示す図、（ｂ）は人名の表記に明朝体の文字を使用した署名が合成された絵画風画像の一例を示す図である。
【図１０】変形例における名称入力画面を示す図である。
【発明を実施するための形態】
【００１２】
以下、本発明の実施形態について説明する。図１は、本発明を適用したデジタルフォトフレーム（以下、ＤＰＦという。）１の正面図である。ＤＰＦ１は、額縁状の本体２に液晶表示パネル３が取り付けられるとともに、本体２の下辺部分に電源スイッチ４及び操作スイッチ５が設けられた構造である。
【００１３】
図２は、ＤＰＦ１の電気的構成を示したブロック図である。ＤＰＦ１は、ＣＰＵ（Central Processing Unit）１１と、ＣＰＵ１１に接続されたＲＯＭ（Read Only Memory）１２、ＲＡＭ（random-access memory）１３、内蔵メモリ１４、電源スイッチ４及び操作スイッチ５を含むスイッチ部１５、表示コントローラ１６、メモリカードコントローラ１７を有している。
【００１４】
ＲＯＭ１２には、ＣＰＵ１１に後述する種々の動作を行わせるためのプログラム、及び字体の異なる複数種の文字フォント等の各種のデータが記憶されている。ＲＡＭ１３は、ＣＰＵ１１が必要に応じて種々のデータを一時的に記憶する作業用のメモリである。
【００１５】
内蔵メモリ１４は、本体２に内蔵されている記憶内容が書き換え可能なフラッシュメモリである。内蔵メモリ１４は、本発明における名前記憶手段と顔記憶手段とを実現するものであって、内蔵メモリ１４には、図３（ａ）に示した登録名ファイル１００と、図３（ｂ）に示した顔データファイル２００とが記憶されている。
【００１６】
登録名ファイル１００は、署名ＩＤ１０１により管理される漢字名データ１０２とローマ字名データ１０３とからなる一組の署名データを１又は複数格納されたデータファイルである。漢字名データ１０２とローマ字名データ１０３とは、同一の氏名を表現したデータである。すなわち漢字名データ１０２は、特定の氏名を漢字表記により表現したデータであり、ローマ字名データ１０３は特定の氏名をローマ字表記により表現したデータである。
【００１７】
顔データファイル２００は、データ番号２０１により管理される顔学習データ２０２と署名ＩＤ２０３とからなる顔データが、登録名ファイル１００に格納されている署名データと対応する数だけ格納されたデータファイルである。各々の顔データは、署名ＩＤ２０３によって示される署名データ（漢字名データ１０２、及びローマ字名データ１０３）とに対応付けられて記憶されているデータである。顔学習データ２０２は、特定人物の顔の特徴を示すデータ（以下、顔特徴データという。）であって、具体的には特定人物の顔に固有である眼、鼻、口といった顔の各部の大きさや、各部の相対的な位置関係等に関する複数のデータである。なお、顔学習データ２０２が本発明における顔データに相当する。
【００１８】
表示コントローラ１６は、ＣＰＵ１１から供給される表示用の画像データに基づき液晶表示パネル３を駆動することにより、画像データにより表される画像を液晶表示パネル３に表示させる。
【００１９】
メモリカードコントローラ１７は、本体２の裏面に設けられている図示しないカードスロットに着脱自在に装着された各種のメモリカード１８と接続されたメモリカード１８とＣＰＵ１１との間におけるデータの入出力を制御する入出力インターフェースである。
【００２０】
一方、ＤＰＦ１には、動作モードとして通常モードとエフェクトモードとが用意されており、ユーザが操作スイッチ５を所定の手順で操作することによって、動作モードの切替が可能となっている。
【００２１】
通常モードは、一般的なＤＰＦと同様に、メモリカード１８に画像データとして記憶されている画像を液晶表示パネル３にそのまま表示する動作モードである。なお、ＤＰＦ１において表示可能な画像は、例えばデジタルカメラによって写真撮影により得られた画像、つまり写真であり、例えばＪＰＥＧ（Joint Photographic Expert Group）方式により圧縮され、撮影日時等の付加情報と共に静止画ファイルとして記憶されている画像である。
【００２２】
エフェクトモードは、メモリカード１８に記憶されている表示対象の画像を、絵画が有する特徴を備えた絵画風画像、つまり特定の効果を与えた絵画風画像に変換し、変換後の絵画風画像を液晶表示パネル３に表示する動作モードである。
【００２３】
また、エフェクトモードでは、絵画風画像への変換に際して目標とする絵画の種類、つまり変換後の絵画風画像に確保することができる特徴（画風）が選択可能である。選択可能な画風は、図４に示したように「水彩画風」、「油絵画風」、「鉛筆画風」、「パステル画風」の４種類であり、かつ大別すると日本画風と西洋画風との２種類である。なお、本実施形態において「水彩画風」は、岩絵具、有機色料を用い毛筆で描かれた日本画を意図した画風であり、「水彩画風」のみが予め日本画風に分類されている。
【００２４】
さらに、エフェクトモードでは、表示対象の画像に人物の顔が存在する場合、登録名ファイル１００に署名データとして記憶されている人名が変換後の絵画風画像に署名として付加される。署名として使用される人名は漢字表記またはローマ字表記によるものであり、変換後の絵画風画像に確保される画風に対応して予め決められている。すなわち図４に示したように、日本画風に分類される画風の署名には漢字名が使用され、西洋画風に分類される画風の署名にはローマ字名が使用される。
【００２５】
以下、エフェクトモードにおけるＤＰＦ１の具体的な動作について説明する。エフェクトモードが設定されているとき、ＣＰＵ１１は、ＲＯＭ１２に記憶されているプログラムに従い実行する後述する処理を実行することにより、本実施形態の画像変換手段、設定手段、決定手段、付加手段、顔認識手段、として機能する。
【００２６】
図５は、エフェクトモードが設定されているときのＣＰＵ１１の処理手順を示したフローチャートである。
【００２７】
エフェクトモードにおいて、ＣＰＵ１１は、例えばユーザによる所定のキー操作に応じて表示対象の画像データをメモリカード１８から読み出し、ＲＡＭ１３に一時記憶する（ステップＳ１）。
【００２８】
次に、ＣＰＵ１１は、ＲＡＭ１３に一時記憶した画像データにより表される画像から、任意の人物の顔部分に相当する顔領域を検出する顔検出処理を行う（ステップＳ２）。顔検出処理において、ＣＰＵ１１は、検出対象の画像に二値化や輪郭抽出、パターンマッチング等の画像認識技術を用いることにより、例えば一定範囲の位置関係にある目や鼻や口が存在する特定領域を顔領域として検出する。
【００２９】
その後、ＣＰＵ１１は、顔検出処理で顔領域が検出できたか否かに応じて、以下の処理を行う。まず、顔領域が検出できなかった場合の処理手順については説明する。顔領域が検出できなかった場合（ステップＳ３：ＮＯ）、ＣＰＵ１１は、まず、後述する絵画風画像に対する署名が不要であると決定する。すなわちＣＰＵ１１は、内部メモリに署名不要を示すフラグを設定する（ステップＳ４）。
【００３０】
次に、ＣＰＵ１１は、直ちにエフェクト名の一覧を液晶表示パネル３に表示し、ユーザに操作スイッチ５を所定の手順で操作させることにより、所望するエフェクトの種類（画風）を選択させる（ステップＳ７）。ここで、エフェクトの種類は、先に説明した「水彩画風」、「油絵画風」、「鉛筆画風」、「パステル画風」の４種類である。
【００３１】
その後、ＣＰＵ１１は、ユーザによって４種類のエフェクトのうちのいずれが選択されると（ステップＳ８：ＹＥＳ）、選択されたエフェクトの種類に応じて予め決められている内容の画像処理を原画像に施し、原画像を絵画風画像へ変換する（ステップＳ９）。
【００３２】
ＣＰＵ１１による原画像の絵画風画像への変換処理は、エフェクトの種類に応じた特殊効果フィルター、すなわち水彩画用、油絵画用、鉛筆画用、パステル画用の各フィルターを用いた画像処理により、目標とする絵画に応じた特定の効果を原画像に与える処理である。各フィルターは、市販のレタッチ用ソフトウエア、例えばＡｄｏｂｅシステム社によるＡｄｏｂｅＰｈｏｔｏｓｈｏｐ（商標）のような市販のソフトウエアパッケージに設けられている「アーティスティックフィルター」と同様の効果を表示対象の画像に与えるものである。
【００３３】
各フィルターによって表示対象の画像に与える特徴的な効果の一例は、以下の通りである。すなわち水彩画用のフィルターの効果の一例は、色調が大きく変化するエッジ部分での色の彩度を高くする効果である。また、油絵用のフィルターの効果の一例は、画像の細部を省略し、カンバス状のテクスチャを目立たせる効果である。また、パステル画用のフィルターの効果の一例は、明るい色の部分ではテクスチャを隠し、暗い部分ではパステルがこすり取られた状態にテクスチャを表現する効果である。また、鉛筆フィルターの効果の一例は、重要なエッジを保持するとともに、同色系の色が均一に分布する領域では、細部の輪郭が透けて見えるようにする効果である。
【００３４】
そして、ＣＰＵ１１は、ステップＳ４の処理において絵画風画像に対する署名が不要であると決定しているため（ステップＳ１０：ＮＯ）、直ちにステップＳ９の処理で変換した絵画風画像を液晶表示パネル３に表示し（ステップＳ１６）、処理を完了する。
【００３５】
次に、前述したステップＳ２の顔検出処理において顔領域が検出できた場合におけるＣＰＵ１１の処理手順について説明する。顔領域が検出できた場合（ステップＳ３：ＹＥＳ）、ＣＰＵ１１は、まず、絵画風画像に対する署名が必要であると決定する。すなわちＣＰＵ１１は、内部メモリに署名必要を示すフラグを設定する（ステップＳ５）。
【００３６】
引き続き、ＣＰＵ１１は、図６に示した署名データ決定処理を実行する（ステップＳ６）。署名データ決定処理においてＣＰＵ１１は、まず、表示対象の画像において検出できた顔領域が複数でなかったときには（ステップＳ１０１：ＮＯ）、検出した顔領域をそのまま認識対象として設定する（ステップＳ１０２）。また、ＣＰＵ１１は、表示対象の画像において検出できた顔領域が複数であったときには（ステップＳ１０１：ＹＥＳ）、検出した複数の顔領域のうちで画像内での面積が最大の顔領域を認識対象として設定する（ステップＳ１０３）。
【００３７】
引き続き、ＣＰＵ１１は、ステップＳ１０２又はステップＳ１０３の処理で設定した顔領域を対象として、以下のステップＳ１０４、及びステップＳ１０５の処理によって顔認識を行う。
【００３８】
すなわちＣＰＵ１１は、設定した顔領域の顔と、登録済の顔との類似度を取得する（ステップＳ１０４）。ステップＳ１０４の処理に際してＣＰＵ１１は、まず、設定した顔領域の顔の特徴を示す顔特徴データ、すなわち当該顔の各部（眼、鼻、口等）の大きさ、及び各部の相対的な位置関係等に関する複数のデータを取得する。その後、ＣＰＵ１１は、取得した顔特徴データと、内蔵メモリ１４に記憶されている顔データファイル２００における各々の顔学習データ２０２との類似度を個別に取得する。
【００３９】
次に、ＣＰＵ１１は、ステップＳ１０４の処理で取得した類似度に基づき、認識対象の顔領域における顔が登録済の顔であるか否かを判断する（ステップＳ１０５）。すなわちＣＰＵ１１は、顔データファイル２００の中に、認識対象の顔領域の顔との類似度が予め決められている閾値以上である顔学習データ２０２が存在する場合には、認識対象の顔領域における顔が登録済の顔であると判断する。また、ＣＰＵ１１は、顔データファイル２００の中に、認識対象の顔領域の顔との類似度が予め決められている閾値以上である顔学習データ２０２が存在しない場合には、認識対象の顔領域における顔が登録されていないものと判断する。
【００４０】
そして、ＣＰＵ１１は、認識対象の顔領域における顔が登録済の顔である場合、つまり顔認識に成功した場合には（ステップＳ１０５：ＹＥＳ）、登録済の顔（顔学習データ２０２）が対応する登録名ファイル１００内の特定の署名データを、今回使用する署名データとして決定する。すなわちＣＰＵ１１は、登録済の顔が対応する署名データの署名ＩＤ１０１を内部メモリに記憶する（ステップＳ１０６）。これにより署名データ決定処理を終了する。なお、ＣＰＵ１１は、ステップＳ１０４の処理で取得した類似度が閾値以上である顔学習データ２０２が複数の場合は類似度が最大の顔学習データ２０２が対応する署名データを今回使用する署名データとして決定する。
【００４１】
また、ＣＰＵ１１は、認識対象の顔領域における顔が登録済の顔でない場合、つまり顔認識に失敗した場合には（ステップＳ１０５：ＮＯ）、図７に示した名前入力画面Ｇ１を液晶表示パネル３に表示する（ステップＳ１０７）。
【００４２】
図７に示したように名前入力画面Ｇ１は、任意の氏名を漢字表記で入力するための第１の入力フィールド３０１と、第１の入力フィールド３０１に入力した氏名をローマ字表記で入力するための第２の入力フィールド３０２とが設けられた画像である。なお、ＣＰＵ１１は、名前入力画面Ｇ１の表示に際して、名前入力画面Ｇ１内に、第１の入力フィールド３０１及び第２の入力フィールド３０２と共に表示対象の画像３０３を表示し、かつ表示対象の画像３０３には認識対象となった顔領域を示す領域枠３０４を表示する。
【００４３】
そして、ＣＰＵ１１は、名前入力画面Ｇ１を表示した状態で、ユーザに、第１の入力フィールド３０１と第２の入力フィールド３０２との双方に氏名を入力させる。なお、図示しないが、ＣＰＵ１１は、ユーザに氏名を入力させる際には、ユーザに操作スイッチ５を所定の手順で操作させることにより、名前入力画面Ｇ１の一部にひらがな、又はローマ字（アルファベット）の各文字を表示したソフトウエア・キーボードを表示し、ユーザに画面上のキーを選択させることによって文字（名前）を入力させる。
【００４４】
やがて、ユーザにより第１の入力フィールド３０１及び第２の入力フィールド３０２の双方に氏名が入力された後（ステップＳ１０８：ＹＥＳ）、ＣＰＵ１１は、入力された漢字表記の氏名と、ローマ字表記の氏名を、それぞれ新たな署名データ（漢字名データ１０２、ローマ字名データ１０３）として登録名ファイル１００に記憶する。また、ＣＰＵ１１は、ステップＳ１０４の処理で取得した顔特徴データを新たな顔学習データ２０２、登録名ファイル１００に新たに記憶した署名データの署名ＩＤとともに、新たな顔データとして顔データファイル２００に記憶する（ステップＳ１０９）。
【００４５】
その後、ＣＰＵ１１は、新たに記憶した署名データを今回使用する署名データとして決定する。すなわちＣＰＵ１１は、新たに記憶した署名データの署名ＩＤ１０１を内部メモリに記憶し（ステップＳ１１０）、署名データ決定処理を終了する。
【００４６】
以上の署名データ決定処理が終了した後、ＣＰＵ１１は図４の処理に戻り、引き続き、ステップＳ６以降の処理を実行する。すなわちＣＰＵ１１は、先に説明したようにエフェクト名の一覧を液晶表示パネル３に表示し、ユーザに所望するエフェクトの種類を選択させる（ステップＳ７）。そして、ＣＰＵ１１は、ユーザによってエフェクトの種類が選択されたら（ステップＳ８：ＹＥＳ）、原画像を、選択されたエフェクトの種類に応じた特徴（画風）を有する絵画風画像へ変換する（ステップＳ９）。
【００４７】
その後、ＣＰＵ１１は、ステップＳ５の処理において絵画風画像に対する署名が必要であると決定しているため（ステップＳ１０：ＹＥＳ）、ステップＳ７の処理に際してユーザに選択されたエフェクトの種類が日本画風（本実施形態では「水彩画風」）であったか否か、つまりステップＳ９の変換処理に際して目標とした絵画の種類が日本画に属するものであったか否かを確認する（ステップＳ１１）。
【００４８】
エフェクトの種類が日本画風でなかった場合、つまり西洋画風（「油絵画風」、「鉛筆画風」、「パステル画風」のいずれか）であった場合（ステップＳ１１：ＮＯ）、ＣＰＵ１１は、登録名ファイル１００から、今回使用する署名データにおけるローマ字名データ１０３を読み出し、筆記体の署名データを作成する（ステップＳ１２）。ステップＳ１２の処理においてＣＰＵ１１が作成する筆記体の署名データは、ローマ字表記された氏名を筆記体の文字フォント（字体）で構成した文字列データである。
【００４９】
つまり、ステップＳ１２の処理においてＣＰＵ１１が作成する署名データは、人名を表す各文字がエフェクトの種類（西洋画風）に応じた表現形態で表現した文字列データである。表現形態とは文字の種類と文字の字体であり、ローマ字と筆記体とがそれぞれエフェクトの種類（西洋画風）に応じた表現形態である。
【００５０】
そして、ＣＰＵ１１は、作成した筆記体の署名データにより表されるローマ字のサインを、ステップＳ９の処理で生成した絵画風画像の予め決められている署名位置に合成した後（ステップＳ１３）、合成後の絵画風画像を液晶表示パネル３に表示し（ステップＳ１６）、処理を完了する。
【００５１】
図８（ａ）は、ステップＳ１６の処理に伴い液晶表示パネル３に表示される絵画風画像Ｇ２を便宜的に示した図であり、ローマ字のサイン（ローマ字表記された氏名）４０１が、予め決められている署名位置である画像内の右下部分に合成された状態を示した図である。
【００５２】
一方、ＣＰＵ１１は、ユーザに選択されたエフェクトの種類が日本画風、つまりステップＳ９の変換処理に際して目標とした絵画の種類が日本画に属するものであった場合（ステップＳ１１：ＹＥＳ）、登録名ファイル１００から、今回使用する署名データにおける漢字名データ１０２を読み出し、漢字表記された氏名の落款画像を作成する（ステップＳ１４）。ステップＳ１４の処理においてＣＰＵ１１が作成する落款画像は、漢字表記された氏名を予め決められている行書体の文字フォント（字体）で表現した印章（落款印）の印影に相当する落款画像である。
【００５３】
つまり、ステップＳ１４の処理においてＣＰＵ１１が作成する落款画像は、人名を表す各文字がエフェクトの種類（日本画風）に応じた表現形態で表現した文字列データを表現したものである。表現形態とは文字の種類と文字の字体であり、漢字と行書体とがそれぞれエフェクトの種類（日本画風）に応じた表現形態である。
【００５４】
しかる後、ＣＰＵ１１は、作成した落款画像をステップＳ９の処理で生成した絵画風画像の予め決められている署名位置に合成した後（ステップＳ１５）、合成後の絵画風画像を液晶表示パネル３に表示し（ステップＳ１６）、処理を完了する。
【００５５】
図８（ｂ）は、ステップＳ１６の処理に伴い液晶表示パネル３に表示される絵画風画像Ｇ３を便宜的に示した図であり、落款画像４０２が、予め決められている署名位置である画像内の右下部分に合成された状態を示した図である。
【００５６】
以上のようにＤＰＦ１においては、エフェクトモードで表示対象の画像を絵画風画像に変換して表示するとき、任意の人物の顔が存在する画像については、画像に存在する顔に応じた人名（署名）を変換後の絵画風画像に文字情報として合成する。そして、署名として使用する人名を表現する文字の種類、及び文字の字体に、変換後の絵画風画像に確保される画風を自動的に反映させる。
【００５７】
つまり絵画風画像の表示に先立ちユーザにより選択されたエフェクトの種類が日本画風に分類されているもの（水彩画風）である場合には、絵画風画像に署名として合成される人名の文字が自動的に行書体の漢字とする。また、絵画風画像の表示に先立ちユーザにより選択されたエフェクトの種類が西洋画風に分類されているもの（油絵画風など）である場合には、絵画風画像に署名として合成される人名の文字が自動的に筆記体のローマ字名とする。
【００５８】
上記のように、日本画風に分類されている絵画風画像に付加する署名（人名）を表記する各文字に行書体の漢字を用い、また西洋画風に分類されている絵画風画像に付加する署名（人名）を表記する各文字に筆記体のローマ字を用いることにより、絵画風画像に付加する署名を、絵画風画像に対して違和感の少ないものとすることができる。
【００５９】
したがって、ＤＰＦ１においては、ユーザに負担をかけることなく、絵画風画像に違和感の少ない適切な署名を絵画風画像に付加することができる。
【００６０】
また、ＤＰＦ１においては、漢字表記の人名が落款画像（落款印の印影に相当する画像）の形態で絵画風画像に合成され、またローマ字表記の人名が筆記体によるサインの形態で絵画風画像に合成される。したがって、絵画風画像をさらに実際の絵画作品に近付けることができる。
【００６１】
また、ＤＰＦ１においては、表示対象の画像に存在する顔が既に登録されている場合には、ユーザによる人名の入力作業も不要であり、絵画風画像に確保された効果（画風）、及び絵画風画像に存在する顔に応じた適切な署名を自動的に絵画風画像に付加することができる。
【００６２】
（変形等）
次に、以上説明した実施形態の変形等について述べる。
【００６３】
まず、ＤＰＦ１には、漢字表記の人名を行書体の漢字で表現した落款画像の形態で絵画風画像に合成し、かつローマ字表記の人名を筆記体のローマ字によるサインの形態で絵画風画像に合成する構成を採用した。しかし、ＤＰＦ１は、漢字表記の人名、及び／又はローマ字表記の人名を、予め決められている同一の字体（例えば明朝体、ゴシック体、行書体）の文字でそのまま表記したものを絵画風画像に署名として合成する構成としてもよい。つまりＤＰＦ１には、人名の表記に使用する文字の種類のみに、ユーザにより選択されたエフェクトの種類を自動的に反映させる構成を採用してもよい。
【００６４】
人名の表記に使用する文字の種類のみに、ユーザにより選択されたエフェクトの種類を自動的に反映させる場合には、絵画風画像に付加する署名（人名）を表記する各文字の種類として、西洋画風に分類されている絵画風画像にはローマ字を用い、また、日本画風に分類されている絵画風画像には漢字を用いることにより、絵画風画像に付加する署名を、絵画風画像に対して違和感の少ないものとすることができる。したがって、ＤＰＦ１においては、ユーザに負担をかけることなく、絵画風画像に違和感の少ない適切な署名を絵画風画像に付加することができる。
【００６５】
また、ＤＰＦ１には、人名の表記に使用する文字の種類と文字の字体との双方に、ユーザにより選択されたエフェクトの種類を自動的に反映させる構成を採用した。しかし、ＤＰＦ１は、人名の表記に使用する文字の字体のみにエフェクトの種類を自動的に反映させる構成としてもよい。例えば文字の種類を漢字、又はローマ字に固定し、エフェクトの種類が、西洋画風に分類されているもの（油絵画風など）のときには文字の字体をゴシック体等の和風をイメージさせる字体に設定し、かつ日本画風に分類されているもの（水彩画風）のときには文字の字体を明朝体等の洋風をイメージさせる字体に設定する構成としてもよい。
【００６６】
図９（ａ）及び図９（ｂ）は、文字の種類を漢字に固定した場合の例を示した、図８（ａ）及び図８（ｂ）にそれぞれ対応する図である。すなわち図９（ａ）は、エフェクトの種類が、西洋画風に分類されているもの（油絵画風など）のとき表示されることとなる他の絵画風画像Ｇ４を便宜的に示した図であり、人名の表記にゴシック体の文字を使用した署名５０１が合成された状態を示した図である。また、図９（ｂ）は、エフェクトの種類が、日本画風に分類されているもの（水彩画風など）のとき表示されることとなる他の絵画風画像Ｇ５を便宜的に示した図であり、人名の表記に明朝体の文字を使用した署名５０１が合成された状態を示した図である。
【００６７】
ＤＰＦ１に、人名の表記に使用する文字の字体のみにエフェクトの種類を自動的に反映させる構成を採用した場合、絵画風画像に付加する署名（人名）を表記する各文字の字体として、西洋画風に分類されている絵画風画像にはゴシック体等を用い、また、日本画風に分類されている絵画風画像には明朝体等を用いることにより、絵画風画像に付加する署名を、絵画風画像に対して違和感の少ないものとすることができる。したがって、ＤＰＦ１においては、ユーザに負担をかけることなく、絵画風画像に違和感の少ない適切な署名を絵画風画像に付加することができる。
【００６８】
また、ＤＰＦ１には、絵画風画像の表示に先立ち、エフェクトの種類、つまり絵画風画像に確保する特定の効果をユーザに選択させる構成を採用した。しかし、ＤＰＦ１には、エフェクトの種類を、例えば表示対象の画像の内容に応じて自動的に設定したり、画像毎に一定の順序、又はランダムに切り替えたりする構成を採用してもよい。
【００６９】
表示対象の画像の内容としては、例えば画像内における任意の人物や、任意の人物の顔の有無や、画像内における色数や、特定の色（近似色を含む）が占める割合が考えられる。さらに、表示対象の画像の内容としては、例えば表示対象の画像に主要被写体を示す情報が付加されている場合には、主要被写体の種類（人物や風景等）であってもよい。
【００７０】
また、ＤＰＦ１には、絵画風画像に確保する特定の効果を、特定の種類の絵画に対応する効果とした構成を採用した。しかし、ＤＰＦ１には、絵画風画像に確保する特定の効果として、特定の種類の絵画に対応する効果とは異なる任意の効果を確保する構成を採用してもよい。
【００７１】
また、ＤＰＦ１には、絵画風画像の表示に際し、漢字表記、又はローマ字表記で人名が表現された署名を、絵画風画像の予め決められている署名位置に合成する構成を採用した。しかし、ＤＰＦ１には、人名が表現された署名を、液晶表示パネル３の画面上に絵画風画像に重ねて表示する構成を採用してもよい。
【００７２】
また、ＤＰＦ１には、複数の人物に関する署名データと顔データとを対応付けて記憶しておき、つまり複数の人物の氏名と顔とを登録しておき、表示対象の画像から複数の人物を顔認識することによって、先に述べたように表示対象の画像に存在する顔が既に登録されている場合には、ユーザによる人名の入力作業を不要とする構成を採用した。
【００７３】
しかし、ＤＰＦ１には、絵画風画像に署名として合成する人名を特定の人名に限定し、表示対象の画像の全てに特定の人名を署名として無条件に合成する構成を採用してもよい。特定の人名としては、例えば事前に設定された単一の人名や、予め登録されている複数人分の人名の中からユーザに事前に選択させた人名等が考えられる。
【００７４】
また、本実施形態においては、ＤＰＦ１が署名として絵画風画像に付加する文字情報が人名を表す文字である場合について説明したが、本発明において絵画風画像に付加する文字情報は人名を表す文字でなくともよい。例えば絵画風画像に文字情報として付加する文字は、表示対象の画像、つまり写真の撮影日時や、撮影場所や、撮影対象（主たる被写体）の名称を表す文字であっても構わない。
【００７５】
例えば絵画風画像に撮影日時を付加する場合には、ＤＰＦ１に、表示対象の画像のデータと共に付加情報として記憶されている撮影日時を、エフェクトの種類に応じて異なる字体の文字で表したものを絵画風画像に付加する構成を採用すればよい。
【００７６】
また、例えば絵画風画像に撮影場所や撮影対象の名称を付加する場合には、ＤＰＦ１に、表示対象の画像を絵画風画像に変換する前後に、ユーザに撮影場所や撮影対象の名称を入力させ、入力された名称を、エフェクトの種類に応じて異なる種類及び／又は字体の文字で表したものを絵画風画像に付加する構成を採用すればよい。
【００７７】
さらに、ＤＰＦ１に、撮影場所や撮影対象の名称として漢字表記による名称とローマ字表記による名称との２種類の名称をユーザに入力させ、本実施形態と同様に、エフェクトの種類に応じて漢字表記又はローマ字表記で表した名称を絵画風画像に付加する構成を採用してもよい。
【００７８】
撮影場所や撮影対象の名称として漢字表記による名称とローマ字表記による名称との２種類の名称をユーザに入力させる際には、例えば図１０に示したような名称入力画面Ｇ６を液晶表示パネル３に表示させればよい。すなわち、図７に示した名前入力画面Ｇ１と同様に、任意の名称を漢字表記で入力するための第１の入力フィールド３０１と、ローマ字表記で入力するための第２の入力フィールド３０２と、表示対象の画像（絵画風画像でもよい。）３０３を表示するものを液晶表示パネル３に表示させればよい。
【００７９】
また、本実施形態においては、表示体対象の画像（原画像）を絵画風画像へ変換する方法として、表示体の画像に、エフェクトの種類に応じた特殊効果フィルター（水彩画用、油絵画用、鉛筆画用、パステル画用の各フィルター）を用いた画像処理を施す方法を用いた場合について説明した。
【００８０】
しかし、本発明においては、表示体対象の画像を絵画風画像へ変換する具体的な方法として任意の方法を採用することができる。表示体の画像を絵画風画像へ変換する方法としては、例えば原画像の各画素を対象として、キャンバス（ＲＡＭ１３内に設けた描画用の画像データ）上の各画素に対応する位置に、各画素に対応する色をブラシストロークと呼ばれるテクスチャ画像の形で順に塗り重ねることによって新たな画像を生成する方法を採用してもよい。
【００８１】
ブラシストロークを用いて新たな画像を生成する方法では、ブラシストロークの属性を元画素の各画素、及びユーザに選択されたエフェクトの種類に応じて変化させることによって、目標とする絵画の種類に応じた効果を絵画風画像に確保することとなる。ブラシストロークの属性としては、キャンバス上でのブラシストロークの密度や、ブラシストロークの大きさ（長さと幅）、方向、色、形状等である。
【００８２】
また、本実施形態においては、ＤＰＦ１が絵画風画像に変換して表示する画像が、写真撮影により得られた画像（写真）である場合について説明した。しかし、本発明において絵画風画像の変換対象となる原画像は、写真撮影により得られた画像に限らず、例えば写真をスキャナで読み取り画像データとして記録されたものであっても構わない。
【００８３】
また、本実施形態においては、本発明をＤＰＦに採用した場合について説明したが、本発明は、所定の画像処理機能を備えたものであれば、ＤＰＦ以外の他の装置にも適用することができる。他の装置としては、例えばデジタルカメラや、デジタルカメラが内蔵された携帯電話端末等の任意の携帯情報端末、汎用的なパーソナルコンピュータ、プリンタである。
【符号の説明】
【００８４】
１    ＤＰＦ
３    液晶表示パネル
１１    ＣＰＵ
１２    ＲＯＭ
１３    ＲＡＭ
１４    内蔵メモリ
１８    メモリカード
１００    登録名ファイル
１０１    署名ＩＤ
１０２    漢字名データ
１０３    ローマ字名データ
２００    顔データファイル
２０１    データ番号
２０２    顔学習データ
２０３    署名ＩＤ
３０３    画像
３０４    領域枠
４０１    サイン
４０２    落款画像
Ｇ１    名前入力画面
Ｇ２    絵画風画像
Ｇ３    絵画風画像
【図１】
2011138240.tif 000003
【図２】
2011138240.tif 000004
【図３】
2011138240.tif 000005
【図４】
2011138240.tif 000006
【図５】
2011138240.tif 000007
【図６】
2011138240.tif 000008
【図７】
2011138240.tif 000009
【図８】
2011138240.tif 000010
【図９】
2011138240.tif 000011
【図１０】
2011138240.tif 000012